(57)【要約】【課題】マニュアルフォーカスに対して行うピント補正がユーザの意図に大きく反することのないように、使い勝手を向上させたデジタルカメラを提供する。【解決手段】デジタルカメラ１０は、撮影レンズ２０内のフォーカスレンズの位置を、レンズユニット１２に設けられたマニュアルフォーカスリング（ＭＦＲ）２２の回動位置に応じて設定するマニュアルフォーカス機能と、ＭＦＲ２２に応じて設定された位置からフォーカスレンズを移動させ、最良のピントが得られる位置にフォーカスレンズを自動設定するピント補正機能とを備える。フォーカスモード切替スイッチ２４は、ピント補正時のフォーカスレンズの移動範囲（ＡＦサーチ範囲）を段階的に設定可能とする。“ＡＦ”では移動範囲は全範囲、“ＭＦ−１／３”では移動範囲は全範囲の１／３、“ＭＦ−２／３”では移動範囲は全範囲の２／３とされる。“ＭＦ”ではピント補正は行われない。【選択図】図１
2007108217.tif 000002
【特許請求の範囲】
【請求項１】
フォーカスレンズの位置をフォーカス操作部材の手動操作に応じて設定するマニュアルフォーカス手段と、このマニュアルフォーカス手段によって設定された位置から前記フォーカスレンズを移動させ、最良のピントが得られる位置に前記フォーカスレンズを自動設定するピント補正手段とを備えたデジタルカメラにおいて、
前記ピント補正手段による前記フォーカスレンズの移動範囲を手動操作によって設定可能とする移動範囲設定手段を設けたことを特徴とするデジタルカメラ。
【請求項２】
前記ピント補正手段は、撮像素子によって得られる画像のコントラストが最大となる位置に前記フォーカスレンズを設定することを特徴とする請求項１記載のデジタルカメラ。
【請求項３】
前記フォーカス操作部材は、レンズ鏡筒の外周に回動自在に配置された、所定の距離目盛を有するマニュアルフォーカスリングであり、前記距離目盛は、レンズ鏡筒に記された指標に対して設定されることを特徴とする請求項１または２記載のデジタルカメラ。
【請求項４】
前記距離目盛は、前記フォーカスレンズの位置のＮｅａｒ端およびＦａｒ端に対応する目盛を含み、前記ピント補正手段は、前記Ｎｅａｒ端に対応する目盛が前記指標に設定されたとき、前記フォーカスレンズをＮｅａｒ端側からＦａｒ端側へ移動させ、前記Ｆａｒ端に対応する目盛が前記指標に設定されたとき、前記フォーカスレンズをＦａｒ端側からＮｅａｒ端側へ移動させることを特徴とする請求項３記載のデジタルカメラ。
【請求項５】
環境温度を手動操作により設定可能とする温度設定手段と、この温度設定手段の設定温度に応じて、前記マニュアルフォーカス手段によって設定される前記フォーカスレンズの位置を補正する温度補正手段とを設けたことを特徴とする請求項１ないし４いずれか記載のデジタルカメラ。
【請求項６】
撮像素子を内蔵したレンズ鏡筒と、このレンズ鏡筒を着脱自在に装着するカメラ本体とからなることを特徴とする請求項１ないし５いずれか記載のデジタルカメラ。
【発明の詳細な説明】
【技術分野】
【０００１】
本発明は、オートフォーカス機能およびマニュアルフォーカス機能を備えたデジタルカメラに関し、特に、マニュアルフォーカスに対するピント補正機能を備えたデジタルカメラに関する。
【背景技術】
【０００２】
近年、ＣＣＤイメージセンサ（以下、ＣＣＤという）などの撮像素子で撮像した被写体像をデジタルの画像データに変換して記録メディアに記録するデジタルカメラが普及しており、大抵の機種には、初心者でも簡単にピント合わせが行えるように、オートフォーカス（ＡＦ）機能が備えられている。しかしながら、一般に、ＡＦでは、カメラが画像のコントラストに基づいて自動的にピント調節を行うことから、ユーザの意図した被写体にピント合わせが行いづらい。このため、上級者向けの一眼レフタイプなどの機種では、このＡＦ機能に加えて、ユーザが手動でピント調節を行えるようにしたマニュアルフォーカス（ＭＦ）機能が備えられている（例えば、特許文献１参照）。
【０００３】
また、ＡＦ機能およびＭＦ機能を備えるデジタルカメラでは、温度などの環境変化により、ＭＦ操作による被写体距離の設定値と、実際にピントが合う被写体距離とにずれが生じることがある。このため、ＭＦ操作設定が行われた際に、その被写体距離の設定値に応じたレンズ位置からＡＦ動作（ＡＦサーチ）を行うことにより、上記ずれを補正することが提案されている（例えば、特許文献２参照）。
【特許文献１】特開２００３−１４０２４７号公報
【特許文献２】特開２００４−２１２４５９号公報
【発明の開示】
【発明が解決しようとする課題】
【０００４】
しかしながら、上記特許文献２記載のデジタルカメラでは、ＭＦ操作によって設定された被写体距離に被写体が実在しない場合などでは、補正のために行われるＡＦ動作によってレンズ位置が大きく変化し、実際にピント合わせが行われた被写体距離が設定値に対して大きくずれ、ユーザの意図に反してしまうといったことが考えられる。また、この場合、ＡＦサーチ範囲が広くなり、サーチ時間が長く補正動作が低速になるといった問題が生じる。
【０００５】
本発明は上記事情に鑑みてなされたものであり、マニュアルフォーカスに対して行うピント補正がユーザの意図に大きく反することのないように、使い勝手を向上させたデジタルカメラを提供することを目的とする。
【課題を解決するための手段】
【０００６】
上記課題を解決するために、本発明のデジタルカメラは、フォーカスレンズの位置をフォーカス操作部材の手動操作に応じて設定するマニュアルフォーカス手段と、このマニュアルフォーカス手段によって設定された位置から前記フォーカスレンズを移動させ、最良のピントが得られる位置に前記フォーカスレンズを自動設定するピント補正手段とを備えたデジタルカメラにおいて、前記ピント補正手段による前記フォーカスレンズの移動範囲を手動操作によって設定可能とする移動範囲設定手段を設けたことを特徴とする。
【０００７】
なお、前記ピント補正手段は、撮像素子によって得られる画像のコントラストが最大となる位置に前記フォーカスレンズを設定することが好ましい。
【０００８】
また、前記フォーカス操作部材は、レンズ鏡筒の外周に回動自在に配置された、所定の距離目盛を有するマニュアルフォーカスリングであり、前記距離目盛は、レンズ鏡筒に記された指標に対して設定されることが好ましい。
【０００９】
また、前記距離目盛は、前記フォーカスレンズの位置のＮｅａｒ端およびＦａｒ端に対応する目盛を含み、前記ピント補正手段は、前記Ｎｅａｒ端に対応する目盛が前記指標に設定されたとき、前記フォーカスレンズをＮｅａｒ端側からＦａｒ端側へ移動させ、前記Ｆａｒ端に対応する目盛が前記指標に設定されたとき、前記フォーカスレンズをＦａｒ端側からＮｅａｒ端側へ移動させることが好ましい。
【００１０】
また、環境温度を手動操作により設定可能とする温度設定手段と、この温度設定手段の設定温度に応じて、前記マニュアルフォーカス手段によって設定される前記フォーカスレンズの位置を補正する温度補正手段とを設けたことが好ましい。
【００１１】
さらに、撮像素子を内蔵したレンズ鏡筒と、このレンズ鏡筒を着脱自在に装着するカメラ本体とからなることが好ましい。
【発明の効果】
【００１２】
本発明のデジタルカメラは、マニュアルフォーカスに対して行うピント補正手段によるフォーカスレンズの移動範囲を、手動操作によって設定可能とする移動範囲設定手段を備えるので、ユーザは、マニュアルフォーカス操作の自信度に応じてフォーカスレンズの移動範囲（ＡＦサーチ範囲）を設定することができ、ピント補正がユーザの意図に大きく反することなく、使い勝手が向上する。また、ＡＦサーチ範囲が適切に設定されるので、サーチ時間が長く補正動作が低速になるといった問題を解決することができる。
【発明を実施するための最良の形態】
【００１３】
図１において、デジタルカメラ１０は、カメラ本体１１とレンズユニット１２とからなる。レンズユニット１２は、カメラ本体１１に着脱自在に装着される交換式のレンズ鏡筒であり、ＣＣＤ４５（図２参照）が内蔵されている。レンズユニット１２の前面には、撮像レンズ２０が露呈されており、背面には、接続部２１が設けられている。
【００１４】
カメラ本体１１の前面には、レンズユニット１２が接続される接続部３０と、レンズユニット１２を取り外すためのリリースボタン３１と、ストロボ光を被写体に向けて発光するストロボ発光部３２とが設けられている。また、上面には、電源ボタン３３およびシャッタボタン３４が設けられている。電源ボタン３３は、カメラ本体１１の電源をＯＮまたはＯＦＦにする際に、押圧操作される。シャッタボタン３４は、撮影を行う際に押圧操作される。また、背面には、画像や設定画面等を表示するＬＣＤ６１（図２参照）や、撮影モードと、再生モードとを切り替える際に操作される操作ダイヤル（図示せず）などが設けられている。
【００１５】
レンズユニット１２は、接続部２１をカメラ本体１１側の接続部３０に接続することによって、カメラ本体１１と機械的および電気的に接続される。リリースボタン３１は、カメラ本体１１からレンズユニット１２を取り外す時に押圧操作される。
【００１６】
また、レンズユニット１２には、手動でピント調節を行うためのフォーカス操作部材として、マニュアルフォーカスリング（ＭＦＲ）２２が設けられている。ＭＦＲ２２は、円筒状のレンズユニット１２の外周に回動可能に配置されており、その周囲には、被写体距離を表す距離目盛（Ｎ，０．５，１，２，３，１０，∞）が記されている。これに対してレンズユニット１２には、線状の指標２３が記されており、指標２３に対して設定された距離目盛に応じて、撮像レンズ２０内のフォーカスレンズ４２（図２参照）が移動する。なお、指標２３を“Ｎ”に合わせるとフォーカスレンズ４２はＮｅａｒ端に移動し、指標２３を“∞”に合わせるとフォーカスレンズ４２はＦａｒ端に移動する。
【００１７】
さらに、レンズユニット１２には、スライド式のフォーカスモード切替スイッチ２４が設けられており、その脇には、フォーカスモードの種類を示す指標（“ＭＦ”，“ＭＦ−１／３”，“ＭＦ−２／３”，“ＡＦ”）が記されている。“ＭＦ”は、ＭＦＲ２２の操作に応じてフォーカスレンズ４２の位置を設定するモードである。“ＭＦ−１／３”および“ＭＦ−２／３”は、ＭＦＲ２２の操作に応じて設定されたフォーカスレンズ４２の位置に対して、ＡＦ動作でピント補正を行うモードであり、“ＭＦ−１／３”では、全領域（Ｎｅａｒ端からＦａｒ端まで）の１／３をＡＦサーチ範囲としてＡＦサーチを行い、“ＭＦ−２／３”では、全領域の２／３をＡＦサーチ範囲としてＡＦサーチを行う。そして、“ＡＦ”は、全領域をＡＦサーチ範囲としてＡＦサーチを行うモードである。なお、フォーカスモード切替スイッチ２４は、フォーカスレンズ４２の移動範囲（ＡＦサーチ範囲）を設定する移動範囲設定手段として機能する。
【００１８】
デジタルカメラ１０の電気的構成を示す図２において、レンズユニット１２には、ユニット内の各部を制御するユニット制御部４０が設けられている。電源制御部４１は、接続部２１，３０を介して、カメラ本体１１側から給電され、レンズユニット１２内の各部に給電を行う。また、ユニット制御部４０は、接続部２１，３０を介して、カメラ本体１１内の本体制御部５１から制御信号を取得し、この制御信号に基づいてレンズユニット１２内の各部を制御する。
【００１９】
前述の撮像レンズ２０に含まれるフォーカスレンズ４２には、レンズモータを含むレンズ駆動部４３が接続されており、ＭＦＲ２２には、回動位置検出を行うエンコーダ４４が接続されている。エンコーダ４４は、ポテンショメータなどからなり、ＭＦＲ２２の回動位置に対応する信号を、ユニット制御部４０に送る。レンズ駆動部４３は、ユニット制御部４０によって制御され、エンコーダ４４からの信号に基づいて、フォーカスレンズ４２を駆動する。なお、ＭＦＲ２２、エンコーダ４４、ユニット制御部４０、およびレンズ駆動部４３は、マニュアルフォーカス手段として機能する。
【００２０】
フォーカスレンズ４２の後方には、ＣＣＤ４５が配置されている。ＣＣＤ４５は、２次元的に配列されたフォトダイオードを備えている。撮影モードにおいて、ＣＣＤ４５は、フォーカスレンズ４２を介して結像した被写体光を光電変換して、光量に応じた信号電荷を蓄積する。ＣＣＤ４５の各フォトダイオードに蓄積された信号電荷は、ＣＣＤドライバ４６から供給される駆動パルスに基づいて、その電荷量に応じた電圧信号（撮像信号）として順次に読み出される。
【００２１】
ＣＣＤ４５から出力された撮像信号は、相関二重サンプリング回路やオートゲインコントロール・アンプなどからなるアナログ信号処理回路４７に入力され、アナログ信号処理回路４７は、撮像信号に対して、雑音の除去やゲイン調整などを行う。アナログ信号処理回路４７から出力された撮像信号は、Ａ／Ｄ変換器４８に入力され、Ａ／Ｄ変換器４８は、撮像信号をデジタル信号に変換する。
【００２２】
ユニット制御部４０は、各部を制御して、Ａ／Ｄ変換器４８から順次に一画面分の撮像信号（画像データ）を出力させ、各画像データを、バス４９を介し、接続部２１，３０からカメラ本体１１内に順次に入力させる。
【００２３】
また、ユニット制御部４０は、ＡＦ動作時には、Ａ／Ｄ変換器４８から出力される画像データをＡＦ検出部５０に順次に入力する。ＡＦ検出部５０は、入力された画像データの所定範囲（フォーカスエリア）内から高周波成分を抽出し、画素ごとに高周波成分を加算してＡＦ評価値（積算値）を求め、これをユニット制御部４０に送信する。ユニット制御部４０は、レンズ駆動部４３を制御し、ＡＦ評価値が増加する方向にフォーカスレンズ４２を移動させてゆき、ＡＦ評価値が極大（ピーク）となる位置にフォーカスレンズ４２を停止させる（いわゆる山登りＡＦ）。
【００２４】
ＡＦ評価値は、画像のコントラストを表す。ＡＦ評価値が極大となる点でコントラストが最大となり、最良のピントが得られる。フォーカスモード切替スイッチ２４を、“ＭＦ”以外、すなわち、“ＡＦ”、“ＭＦ−１／３”、または“ＭＦ−２／３”に設定した場合に、上記ＡＦ動作によりピント補正が行われる。各フォーカスモードの詳細は後述する。なお、ＡＦ検出部５０、ユニット制御部４０、およびレンズ駆動部４３は、ピント補正手段として機能する。
【００２５】
カメラ本体１１には、本体内の各部を制御する本体制御部５１が設けられている。電源制御部５２は、バッテリ５３に接続されており、バッテリ５３の出力電圧を所定電圧に変圧し、カメラ本体１１内の各部に給電を行う。また、電源制御部５２は、接続部２１，３０を介してレンズユニット１２に対して給電を行う。
【００２６】
カメラ本体１１から入力された画像データ（いわゆるＲＡＷデータ）は、バス５４を介してメモリ５５に記憶される。デジタル信号処理部５６は、メモリ５５に記憶された画像データに対して、同時化、γ変換、ＹＣ変換、圧縮処理などの信号処理を施す。
【００２７】
操作部５７には、前述の電源ボタン３３やシャッタボタン３４が含まれている。シャッタボタン３４は、２段階押圧式のスイッチとなっている。撮影モードにおいて、シャッタボタン３４が軽く押下（半押し）されて１段目のスイッチがオンすると、レンズユニット１２によって上記ＡＦ動作などの撮影準備動作がなされる。シャッタボタン３４がさらに深く押下（全押し）されて２段目のスイッチがオンすると、デジタル信号処理部５６は、メモリ５５に取り込まれた画像データに対して、上記信号処理を施して圧縮された画像データを生成し、メディアコントローラ５８は、この画像データを記録メディア５９に記録する（いわゆる撮影処理）。
【００２８】
撮影モードにおいてシャッタボタン３４が押下されるまでの撮影待機状態では、デジタル信号処理部５６は、メモリ５５に記憶された画像データに対して簡易な画像処理と簡易なＹＣ処理とを施し、ＬＣＤドライバ６０は、この画像データをＬＣＤ６１にスルー画として表示させる。
【００２９】
一方、再生モードでは、メディアコントローラ５８は、記録メディア５９から画像データを読み出し、メモリ５５に取り込む。デジタル信号処理部５６は、この画像データに対して伸張処理を施し、ＬＣＤドライバ６０は、この画像データをＬＣＤ６１に再生画像として表示させる。
【００３０】
また、本体制御部５１には、ストロボ制御部６２が接続されている。本体制御部５１は、撮影モードにおいてシャッタボタン３４が全押しされた際に、ストロボ制御部６２に指示を与え、ストロボ発光部３２を発光させる。
【００３１】
以下に、デジタルカメラ１０の撮影モード時の動作について、図３および図４のフローチャートに沿って説明する。デジタルカメラ１０が撮影モードに設定されると、まず、レンズユニット１２では、ユーザによるＭＦＲ２２の操作に基づいてフォーカスレンズ４２が移動されるとともにＣＣＤ４５によって撮像が行われる（ステップＳ１）。カメラ本体１１では、レンズユニット１２から送られた画像データがスルー画としてＬＣＤ６１に表示される（ステップＳ２）。
【００３２】
シャッタボタン３４が半押しされるまでの間（ステップＳ３のＮｏ）、上記ステップＳ１，Ｓ２が継続して行われる。シャッタボタン３４が半押しされると（ステップＳ３のＹｅｓ）、次いで、フォーカスモード切替スイッチ２４が、“ＭＦ”，“ＭＦ−１／３”，“ＭＦ−２／３”，“ＡＦ”のうちのどのフォーカスモードに設定されているかが判定される。
【００３３】
フォーカスモード切替スイッチ２４が“ＭＦ”に設定されている場合には（ステップＳ４のＹｅｓ）、ＭＦＲ２２の操作に基づいて設定されたフォーカスレンズ４２の位置が維持され、シャッタボタン３４の半押しが解除されず（ステップＳ５のＮｏ）、かつ、シャッタボタン３４が全押しされると（ステップＳ６のＹｅｓ）、レンズユニット１２およびカメラ本体１１によって撮影処理が行われ（ステップＳ７）、記録メディア５９に記録された画像データがＬＣＤ６１に一時的に表示される（いわゆるポストビュー表示）（ステップＳ８）。そして再び、ステップＳ１に戻る。また、ステップＳ５においてシャッタボタン３４の半押しが解除された場合にも、ステップＳ１に戻る。
【００３４】
ステップＳ４において、フォーカスモード切替スイッチ２４の設定が“ＭＦ”でない場合には（ステップＳ４のＮｏ）、図４のフローチャートへ移行する。フォーカスモード切替スイッチ２４の設定が“ＡＦ”である場合には（ステップＳ９のＹｅｓ）、図５（Ａ）に示すように、フォーカスレンズ位置の全領域（Ｎｅａｒ端からＦａｒ端まで）がＡＦサーチ範囲（フォーカスレンズ４２の移動可能範囲）とされる（ステップＳ１０）。また、フォーカスモード切替スイッチ２４の設定が“ＭＦ−２／３”である場合には（ステップＳ１１のＹｅｓ）、図５（Ｂ）に示すように、全領域の２／３がＡＦサーチ範囲される（ステップＳ１２）。また、フォーカスモード切替スイッチ２４の設定が“ＭＦ−１／３”である場合には（ステップＳ１１のＮｏ）、図５（Ｃ）に示すように、全領域の１／３がＡＦサーチ範囲とされる（ステップＳ１３）。
【００３５】
なお、“ＭＦ−２／３”または“ＭＦ−１／３”において、ＡＦサーチ範囲は、基本的に、ＭＦＲ２２の操作に基づいて設定されているフォーカスレンズ４２の位置Ｐ０が中心となるように設定される。しかし、設定されるＡＦサーチ範囲がＮｅａｒ端またはＦａｒ端を越える場合には、位置Ｐ０をＡＦサーチ範囲の中心とせず、その分だけずらして設定を行う。
【００３６】
次いで、ＭＦＲ２２の操作に基づいて設定されているフォーカスレンズ４２の位置Ｐ０を開始点とし、ステップＳ１０、ステップＳ１１、またはステップＳ１３において設定されたＡＦサーチ範囲内でフォーカスレンズ４２を移動させて、ＡＦサーチ（山登りＡＦ）を行い（ステップＳ１４）、最良のピントが得られるＡＦ評価値のピーク位置Ｐｆにフォーカスレンズ４２を設定する。この後、図３のステップＳ５に以降し、シャッタボタン３４の半押しが解除されずに全押しされると、撮影処理およびポストビュー表示が行われる。
【００３７】
なお、ステップＳ１４において、ＭＦＲ２２の距離目盛の“Ｎ”が指標２３に設定されているとき（位置Ｐ０がＮｅａｒ端であるとき）は、強制的にＮｅａｒ側からＦａｒ側へ向かってＡＦサーチを行わせ、ＭＦＲ２２の距離目盛の“∞”が指標２３に設定されているとき（位置Ｐ０がＦａｒ端であるとき）は、強制的にＦａｒ側からＮｅａｒ側へ向かってＡＦサーチを行わせる。
【００３８】
また、ステップＳ１４，Ｓ１５において、ＡＦサーチ範囲でＡＦ評価値がピークを与えない場合には、そのＡＦサーチ範囲内でＡＦ評価値が最大となる位置にフォーカスレンズ４２を設定する。
【００３９】
デジタルカメラ１０は、以上のように構成されているので、ユーザは、技量や目的に応じてフォーカスモードを選択することができる。例えば、狙った被写体に手動でピント合わせを行いたい場合や、パンフォーカス的に使用したい場合には、“ＭＦ”モードを用いればよい。また、手動でピント合わせを行いたいが、正確にピントを合わせる自信があまりない場合には、その自信度に応じて、“ＭＦ−１／３”、“ＭＦ−２／３”の各モードを使い分ければよい。例えば、自信度がある程度高く、“ＭＦ−１／３”モードを用いた場合には、ＡＦサーチ範囲が絞られるので、実際にピント合わせが行われた被写体距離がＭＦＲ２２の設定値に対して大きくずれることはなく、ユーザの意図に反することはない。また、この場合には、ＡＦサーチ範囲が適切に絞られているので、サーチ時間が長く補正動作が低速化するといったことはない。
【００４０】
次に、図６および図７は、第２実施形態のデジタルカメラ７０を示す。デジタルカメラ７０は、カメラ本体１１とレンズユニット７１とからなる。デジタルカメラ７０は、レンズユニット７１に、環境温度を設定するためのスライド式の温度設定スイッチ（温度設定手段）７２を備え、この温度設定スイッチ７２の設定値に基づいた制御をユニット制御部４０が行うことの他は、上記第１実施形態のデジタルカメラ１０の構成と同一である。このため、温度設定スイッチ７２以外の部分については、上記第１実施形態と同一の符号を付しており、それらの詳しい説明は省略する。
【００４１】
フォーカスレンズ４２の焦点距離は、温度変化による影響を受け、ＭＦＲ２２をある値に設定したとしても、温度によって実際にピントの合う被写体距離が異なる。温度設定スイッチ７２は、この温度変化による影響を補正するために設けられている。温度設定スイッチ７２の脇には、温度範囲を示す指標（〜１０℃，１０〜２０℃，２０〜３０℃，３０℃〜）が記されている。なお、この指標の温度区分は適宜変更して良い。
【００４２】
ユーザは、自身の感覚によって、デジタルカメラ７０の環境温度を温度設定スイッチ７２により設定する。ユニット制御部４０は、温度補正手段として機能し、温度設定スイッチ７２によって設定された温度に基づいて、ＭＦＲ２２の操作に応じて設定されるフォーカスレンズ４２の位置を補正し、温度変化による影響をキャンセルする。
【００４３】
これにより、“ＭＦ”モードでは、温度変化が異なる場合でも正確にピント合わせを行うことができる。その他のフォーカスモードでは、ピント補正前のフォーカスレンズ４２の初期位置Ｐ０が適正な位置に設定されるので、ピント補正動作が高速化される。
【００４４】
なお、上記実施形態において、ＡＦサーチ範囲を変更するモードとして、全範囲の１／３に変更する“ＭＦ−１／３”、および、全範囲の２／３に変更する“ＭＦ−２／３”を例に挙げて説明しているが、本発明はこれに限定されず、これらのモードの数や、ＡＦサーチ範囲の変更量は適宜変更して良い。
【００４５】
なお、上記実施形態において、撮像素子としてＣＣＤを例に挙げて説明しているが、本発明はこれに限定されず、他の撮像素子（例えば、ＣＭＯＳイメージセンサ）を用いても良い。
【００４６】
さらに、上記実施形態において、レンズユニットとカメラ本体とが分離可能なデジタルカメラを例に挙げて説明しているが、本発明はこれに限定されず、レンズユニットとカメラ本体とが一体に形成された通常のデジタルカメラに本発明を適用することも可能である。
【図面の簡単な説明】
【００４７】
【図１】デジタルカメラの外観斜視図である。
【図２】デジタルカメラの電気的構成を示すブロック図である。
【図３】動画モード時の動作を示すフローチャート（その１）である。
【図４】動画モード時の動作を示すフローチャート（その２）である。
【図５】ＡＦサーチを説明する図であり、（Ａ）は“ＡＦ”モード時、（Ｂ）は“ＭＦ−２／３”モード時、（Ｃ）は“ＭＦ−１／３”モード時の図である。
【図６】第２実施形態のデジタルカメラの外観斜視図である。
【図７】第２実施形態のデジタルカメラの電気的構成を示すブロック図である。
【符号の説明】
【００４８】
１０，７０  デジタルカメラ
１１  カメラ本体
１２，７１  レンズユニット
２３  指標
２４  フォーカスモード切替スイッチ
４０  ユニット制御部
４２  フォーカスレンズ
４３  レンズ駆動部
４４  エンコーダ
４５  ＣＣＤ
４６  ＣＣＤドライバ
５０  ＡＦ検出部
５１  本体制御部
７２  温度設定スイッチ
【図１】
2007108217.tif 000003
【図２】
2007108217.tif 000004
【図３】
2007108217.tif 000005
【図４】
2007108217.tif 000006
【図５】
2007108217.tif 000007
【図６】
2007108217.tif 000008
【図７】
2007108217.tif 000009